【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
ａ）少なくとも１つのポリエステル、少なくとも１つのポリエーテル、少なくとも１つのポリカーボネート、少なくとも１つのポリオレフィン、またはそれらの組み合わせを含んでなるポリマー組成物、および
ｂ）式
【化１】
2008501820.tif 000001
（式中、Ａ、Ｂ、およびＱは独立して、脂肪族または芳香族置換基であるが、ただし少なくとも４個の炭素原子がいずれかの２個の窒素基を隔て、Ｒは脂肪族または芳香族基または水素であり、ａは１〜５であり、ｎは３〜１０，０００であり、窒素基は負に帯電した官能基との相互作用になおも利用できる）を有する反復単位を含んでなる０．１〜２．０モル％未満のポリマー添加剤またはその塩
を含んでなる抗菌ポリマー組成物。
【請求項２】
請求項１に記載の抗菌ポリマー組成物を含んでなる物品。
【請求項３】
請求項１に記載の抗菌ポリマー組成物を含んでなる、不織布衣料品。
【請求項４】
少なくとも１つのポリエステル、少なくとも１つのポリエーテル、少なくとも１つのポリカーボネート、少なくとも１つのポリオレフィン、またはそれらの組み合わせを含んでなるポリマー組成物に、式
【化２】
2008501820.tif 000002
（式中、Ａ、Ｂ、およびＱは独立して、脂肪族または芳香族置換基であるが、ただし少なくとも４個の炭素原子がいずれかの２個の窒素基を隔て、Ｒは脂肪族または芳香族基または水素であり、ａは１〜５であり、ｎは３〜１０，０００であり、窒素基は負に帯電した官能基との相互作用になおも利用できる）を有する反復単位を含んでなる有効量のポリマー添加剤またはその塩を組み込むステップを含んでなる、抗菌ポリマー組成物を製造する方法。
【請求項５】
請求項に４記載の方法によって製造される、抗菌ポリマー組成物。
【請求項６】
物品中またはその上に、
ａ）少なくとも１つのポリエステル、少なくとも１つのポリエーテル、少なくとも１つのポリカーボネート、少なくとも１つのポリオレフィン、またはそれらの組み合わせを含んでなるポリマー組成物、および
ｂ）式
【化３】
2008501820.tif 000003
（式中、Ａ、Ｂ、およびＱは独立して、脂肪族または芳香族置換基であるが、ただし少なくとも４個の炭素原子がいずれかの２個の窒素基を隔て、Ｒは脂肪族または芳香族基または水素であり、ａは１〜５であり、ｎは３〜１０，０００であり、窒素基は負に帯電した官能基との相互作用になおも利用できる）を有する反復単位を含んでなる有効量のポリマー添加剤またはその塩
を含んでなる抗菌ポリマー組成物を組み込むステップを含んでなる、物品中またはその上における微生物生育の阻害方法。
【請求項７】
（ａ）物品を提供するステップと、
（ｂ）物品中に請求項１に記載の抗菌ポリマー組成物を組み込むステップ
を含んでなる、染色された物品を製造する方法。
【請求項８】
請求項１に記載の抗菌ポリマー組成物を含んでなる不織服飾品を着用するステップを含んでなる、感染を予防する方法。
【手続補正２】
【補正対象書類名】明細書
【補正対象項目名】０１０３
【補正方法】変更
【補正の内容】
【０１０３】
実施例８Ｄおよび実施例８Ｅは、処理済みＤａｃｒｏｎ（登録商標）対照と比べて２ログの減少を示す。より少量の３ＧＴ／４モル％Ｍｅ−ＢＨＭＴ共重合体を含有する実施例８Ａ、８Ｂ、および８Ｃは、ごくわずかな効果しかなかった。ＰＥおよび対照３ＧＴ繊維は、抗真菌活性を示さなかった。
次に、本発明の好ましい態様を示す。
1.  ａ）少なくとも１つのポリエステル、少なくとも１つのポリエーテル、少なくとも１つのポリカーボネート、少なくとも１つのポリオレフィン、またはそれらの組み合わせを含んでなるポリマー組成物、および
ｂ）式
【化１】
2008501820.tif 000004
（式中、Ａ、Ｂ、およびＱは独立して、脂肪族または芳香族置換基であるが、ただし少なくとも４個の炭素原子がいずれかの２個の窒素基を隔て、Ｒは脂肪族または芳香族基または水素であり、ａは１〜５であり、ｎは３〜１０，０００であり、窒素基は負に帯電した官能基との相互作用になおも利用できる）を有する反復単位を含んでなる０．１〜２．０モル％未満のポリマー添加剤またはその塩
を含んでなる抗菌ポリマー組成物。
2.  ポリマー組成物がポリアルキレンテレフタレートを含んでなる、上記１に記載の抗菌ポリマー組成物。
3.  ポリアルキレンテレフタレートがポリトリメチレンテレフタレートを含んでなる、上記２に記載の抗菌ポリマー組成物。
4.  ａが１〜２である、上記１に記載の抗菌ポリマー組成物。
5.  Ａが１である、上記４に記載の抗菌ポリマー組成物。
6.  Ａ、Ｂ、およびＱが独立して、４〜２０個の炭素を含有するアルキレン置換基または６〜１８個の炭素を含有するアリーレン置換基を含んでなるが、ただしＡまたはＢはそれぞれ少なくとも４個の炭素を含有するアルキレンまたは少なくとも６個の炭素を含有するアリーレンのいずれかを含有するが、ただしＱは少なくとも２個の炭素を含有するアルキレンまたは少なくとも６個の炭素を含有するアリーレンのいずれかを含有する、上記１に記載の抗菌ポリマー組成物。
7.  ｎが３〜１，０００である、上記１に記載の抗菌ポリマー組成物。
8.  ｎが３〜１００である、上記７に記載の抗菌ポリマー組成物。
9.  ｎが３〜２０である、上記８に記載の抗菌ポリマー組成物。
10.  ＲがＣ1〜Ｃ8アルキルである、上記１に記載の抗菌ポリマー組成物。
11.  ポリマー添加剤がポリ（６，６’−アルキルイミノ−ビスヘキサメチレンアジパミド）、ポリ（６，６’−アルキルイミノ−ビステトラメチレンアジパミド）、ポリ（Ｎ，Ｎ’−ジアルキルイミノ−トリ（テトラメチレン））アジパミド、またはそれらの組み合わせであり、アルキル基が１〜４個の炭素原子を有する、上記１に記載の抗菌ポリマー組成物。
12.  上記１に記載の抗菌ポリマー組成物を含んでなる物品。
13.  繊維、布帛、ヤーン、膜、フィルム、またはフィルム層の形態の上記１２に記載の物品。
14.  繊維が単一成分繊維または二成分繊維の形態である、上記１３に記載の物品。
15.  二成分繊維がポリエチレンテレフタレートおよびポリトリメチレンテレフタレートを含んでなる、上記１４に記載の物品。
16.  繊維、布帛、ヤーン、膜、フィルム、またはフィルム層が押出しにより形成される、上記１３に記載の物品。
17.  ポリマー添加剤が押出しに先だってポリマー組成物中に組み込まれる、上記１６に記載の物品。
18.  前記物品が顔料染色される、上記１２に記載の物品。
19.  上記１に記載の抗菌ポリマー組成物を含んでなる、不織布衣料品。
20.  少なくとも２．０の２４時間後Δｔを有する、上記１に記載の抗菌ポリマー組成物。
21.  少なくとも３．０の２４時間後Δｔを有する、上記２０に記載の抗菌ポリマー組成物。
22.  少なくとも４．０の２４時間後Δｔを有する、上記２１に記載の抗菌ポリマー組成物。
23.  少なくとも１つのポリエステル、少なくとも１つのポリエーテル、少なくとも１つのポリカーボネート、少なくとも１つのポリオレフィン、またはそれらの組み合わせを含んでなるポリマー組成物に、式
【化２】
2008501820.tif 000005
（式中、Ａ、Ｂ、およびＱは独立して、脂肪族または芳香族置換基であるが、ただし少なくとも４個の炭素原子がいずれかの２個の窒素基を隔て、Ｒは脂肪族または芳香族基または水素であり、ａは１〜５であり、ｎは３〜１０，０００であり、窒素基は負に帯電した官能基との相互作用になおも利用できる）を有する反復単位を含んでなる有効量のポリマー添加剤またはその塩を組み込むステップを含んでなる、抗菌ポリマー組成物を製造する方法。
24.  組み込むステップが、少なくとも１つのポリエステルと少なくとも１つのポリマー添加剤とのブロック共重合体を形成して達成される、上記２３に記載の方法。
25.  少なくとも１つのポリエステルがポリトリメチレンテレフタレートである、上記２４に記載の方法。
26.  少なくとも１つのポリマー添加剤がポリ（６，６’−アルキルイミノ−ビスヘキサメチレンアジパミド）であり、アルキル基が１〜４個の炭素原子を有する、上記２４に記載の方法。
27.  組み込むステップが、ポリマー組成物とポリマー添加剤とを溶融ブレンドして達成される、上記２３に記載の方法。
28.  上記に２３記載の方法によって製造される、抗菌ポリマー組成物。
29.  物品中またはその上に、
ａ）少なくとも１つのポリエステル、少なくとも１つのポリエーテル、少なくとも１つのポリカーボネート、少なくとも１つのポリオレフィン、またはそれらの組み合わせを含んでなるポリマー組成物、および
ｂ）式
【化３】
2008501820.tif 000006
（式中、Ａ、Ｂ、およびＱは独立して、脂肪族または芳香族置換基であるが、ただし少なくとも４個の炭素原子がいずれかの２個の窒素基を隔て、Ｒは脂肪族または芳香族基または水素であり、ａは１〜５であり、ｎは３〜１０，０００であり、窒素基は負に帯電した官能基との相互作用になおも利用できる）を有する反復単位を含んでなる有効量のポリマー添加剤またはその塩
を含んでなる抗菌ポリマー組成物を組み込むステップを含んでなる、物品中またはその上における微生物生育の阻害方法。
30.  微生物が細菌である、上記２９に記載の方法。
31.  細菌がグラム陽性細菌またはグラム陰性細菌である、上記３０に記載の方法。
32.  微生物が真菌である、上記２９に記載の方法。
33.  （ａ）物品を提供するステップと、
（ｂ）物品中に上記１に記載の抗菌ポリマー組成物を組み込むステップ
を含んでなる、染色された物品を製造する方法。
34.  上記１に記載の抗菌ポリマー組成物を含んでなる不織服飾品を着用するステップを含んでなる、感染を予防する方法。
35.  不織服飾品がガウンである、上記３４に記載の方法。
36.  不織服飾品が医師、看護師、または患者によって着用される、上記３５に記載の方法。